(57)【特許請求の範囲】
【請求項１】
音声認識により取得した情報に基づいてエレベータ制御盤に行先階登録を行う行先階登録モードと、音声認識により取得した情報に基づいて表示すべき情報を選択して情報の表示を行う情報表示モードとの２つのモードを備えた音声登録装置であって、
エレベータの運行状態に応じて、音声認識を行うモードを、前記行先階登録モードと前記情報表示モードのいずれか一方に設定するモード切り替え手段と、
エレベータかご内に設置されて文字または画像の表示を行う情報表示器と、
前記エレベータかご内に設置されて音声が入力される音声入力装置と、
前記モード切り替え手段により前記行先階登録モードまたは前記情報表示モードに設定され、かつ、前記音声入力装置に音声が入力された場合に、当該音声の音声認識を行う音声認識手段と、
を備え、
前記モード切り替え手段により前記行先階登録モードに設定されている場合で、かつ、前記音声認識手段による音声認識により音声情報を取得した場合は、前記情報表示器への当該音声情報の表示は行わずに、取得した当該音声情報と予めビルの構造より登録されている階床データとを比較し、一致した場合に、一致した階床への呼びを登録し、
前記モード切り替え手段により前記情報表示モードに設定されている場合で、かつ、前記音声認識手段による音声認識により音声情報を取得した場合は、当該音声情報に基づく行先階登録は行わずに、取得した当該音声情報に基づいて、予め登録されている情報の中から表示すべき情報を検索し、前記情報表示器に当該情報の表示を行う音声登録装置であって、
前記エレベータかご内の乗客数を判定するエレベータ負荷判別手段をさらに備え、
前記エレベータ負荷判別手段が求めた前記エレベータかご内の乗客数が、予め設定された一定数以上の場合に、前記モード切り替え手段は、前記情報表示モードに設定し、前記音声認識手段は、前記音声入力装置に１以上の乗客からの音声が入力された場合に、当該音声の中に、予め登録されているキーワードと一致する音声があるか否かを判定し、当該キーワードのいずれかと一致する音声が検出された場合に、当該音声情報に基づいて、予め登録されている情報の中から表示すべき情報を検索し、前記情報表示器に当該情報の表示を行う
ことを特徴とする音声登録装置。
【請求項２】
前記モード切り替え手段は、前記エレベータ制御盤への行先階登録の処理が終了するまでは、前記行先階登録モードに設定し、当該処理が終了したときに、前記情報表示モードに切り替える
ことを特徴とする請求項１に記載の音声登録装置。
【請求項３】
前記モード切り替え手段は、前記エレベータ制御盤への行先階登録の処理が終了し、かつ、エレベータの戸閉動作が終了するまでは、前記行先階登録モードに設定し、前記行先階登録の処理および前記エレベータの戸閉動作が終了したときに、前記情報表示モードに切り替える
ことを特徴とする請求項１に記載の音声登録装置。
【請求項４】
エレベータの運行状態に応じて、音声認識を行うモードを、音声認識により取得した情報に基づいてエレベータ制御盤に行先階登録を行う行先階登録モードと、音声認識により取得した情報に基づいて表示すべき情報を選択して前記情報表示器に表示を行う情報表示モードとのいずれか一方に設定するモード切り替えステップと、
前記モード切り替えステップにより前記行先階登録モードに設定されている場合で、かつ、前記音声認識により音声認識により音声情報を取得した場合は、前記情報表示器への当該音声情報の表示は行わずに、取得した当該音声情報と予めビルの構造より登録されている階床データとを比較し、一致した場合に、一致した階床への呼びを登録する呼び登録ステップと、
前記モード切り替えステップにより前記情報表示モードに設定されている場合で、かつ、前記音声認識により音声情報を取得した場合は、当該音声情報に基づく行先階登録は行わずに、取得した当該音声情報に基づいて、予め登録されている情報の中から、表示すべき情報を検索し、前記情報表示器に当該情報の表示を行う情報表示判定ステップと
を備えた音声登録方法であって、
前記エレベータかご内の乗客数を判定するエレベータ負荷判別ステップをさらに備え、
前記エレベータ負荷判別ステップで求めた前記エレベータかご内の乗客数が、予め設定された一定数以上の場合に、前記モード切り替えステップにおいて、前記音声認識を行うモードは前記情報表示モードに設定され、前記情報表示判定ステップにおいて、１以上の乗客からの音声の中に、予め登録されているキーワードと一致する音声があるか否かを判定し、当該キーワードのいずれかと一致する音声が検出された場合に、当該音声情報に基づいて、予め登録されている情報の中から表示すべき情報を検索し、前記情報表示器に当該情報の表示を行う
ことを特徴とする音声登録方法。
【発明の詳細な説明】
【技術分野】
【０００１】
この発明は音声登録装置および音声登録方法に関し、特に、エレベータ等で使用される音声登録装置および音声登録方法に関する。
【背景技術】
【０００２】
従来の音声登録装置が設置されたエレベータにおいて、音声登録装置の役割は行先階を登録するのみであった。例えば、特許文献１のように、特定キーワードにて音声認識を実施する方法などが提案されている。
【０００３】
また、従来のエレベータに搭載された情報表示器においては、管理者側が設定した情報を表示するのみであった。例えば、特許文献２のように、時間帯によってエレベータ情報表示器の内容を変更する方法などや、特許文献３のように遠隔保守端末から通信線を通じて送られてくる文字情報をエレベータ情報表示器に表示する技術が公開されている。
【先行技術文献】
【特許文献】
【０００４】
【特許文献１】特開平３−２９３２７４号公報
【特許文献２】特開平７−３３０２３４号公報
【特許文献３】特開平９−７７３９８号公報
【発明の概要】
【発明が解決しようとする課題】
【０００５】
上記のように、従来のエレベータにおける音声登録装置では、音声情報を行先階の登録のみに使用しており、それほど有効活用はなされていなかった。
【０００６】
また、従来のエレベータに搭載された情報表示器においては、管理者側が一方的に選定した情報を表示するのみであり、その乗客に合わせた最適な情報を表示することはできなかった。
【０００７】
この発明では、かかる問題点を解決するためになされたものであり、音声情報を行先階登録に使用するモードと情報表示のための情報取得に使用するモードとの２つのモードを備え、音声情報を、行先階の登録だけでなく、エレベータ利用者に最適な情報を表示するためにも使用し、音声情報のさらなる有効活用を可能にする音声登録装置および音声登録方法を得ることを目的とする。
【課題を解決するための手段】
【０００８】
この発明は、音声認識により取得した情報に基づいてエレベータ制御盤に行先階登録を行う行先階登録モードと、音声認識により取得した情報に基づいて表示すべき情報を選択して情報の表示を行う情報表示モードとの２つのモードを備えた音声登録装置であって、エレベータの運行状態に応じて、音声認識を行うモードを、前記行先階登録モードと前記情報表示モードのいずれか一方に設定するモード切り替え手段と、エレベータかご内に設置されて文字または画像の表示を行う情報表示器と、前記エレベータかご内に設置されて音声が入力される音声入力装置と、前記モード切り替え手段により前記行先階登録モードまたは前記情報表示モードに設定され、かつ、前記音声入力装置に音声が入力された場合に、当該音声の音声認識を行う音声認識手段と、を備え、前記モード切り替え手段により前記行先階登録モードに設定されている場合で、かつ、前記音声認識手段による音声認識により音声情報を取得した場合は、前記情報表示器への当該音声情報の表示は行わずに、取得した当該音声情報と予めビルの構造より登録されている階床データとを比較し、一致した場合に、一致した階床への呼びを登録し、前記モード切り替え手段により前記情報表示モードに設定されている場合で、かつ、前記音声認識手段による音声認識により音声情報を取得した場合は、当該音声情報に基づく行先階登録は行わずに、取得した当該音声情報に基づいて、予め登録されている情報の中から表示すべき情報を検索し、前記情報表示器に当該情報の表示を行う音声登録装置であって、前記エレベータかご内の乗客数を判定するエレベータ負荷判別手段をさらに備え、前記エレベータ負荷判別手段が求めた前記エレベータかご内の乗客数が、予め設定された一定数以上の場合に、前記モード切り替え手段は、前記情報表示モードに設定し、前記音声認識手段は、前記音声入力装置に１以上の乗客からの音声が入力された場合に、当該音声の中に、予め登録されているキーワードと一致する音声があるか否かを判定し、当該キーワードのいずれかと一致する音声が検出された場合に、当該音声情報に基づいて、予め登録されている情報の中から表示すべき情報を検索し、前記情報表示器に当該情報の表示を行うことを特徴とする音声登録装置である。
【発明の効果】
【０００９】
この発明は、音声認識により取得した情報に基づいてエレベータ制御盤に行先階登録を行う行先階登録モードと、音声認識により取得した情報に基づいて表示すべき情報を選択して情報の表示を行う情報表示モードとの２つのモードを備えた音声登録装置であって、エレベータの運行状態に応じて、音声認識を行うモードを、前記行先階登録モードと前記情報表示モードのいずれか一方に設定するモード切り替え手段と、エレベータかご内に設置されて文字または画像の表示を行う情報表示器と、前記エレベータかご内に設置されて音声が入力される音声入力装置と、前記モード切り替え手段により前記行先階登録モードまたは前記情報表示モードに設定され、かつ、前記音声入力装置に音声が入力された場合に、当該音声の音声認識を行う音声認識手段と、を備え、前記モード切り替え手段により前記行先階登録モードに設定されている場合で、かつ、前記音声認識手段による音声認識により音声情報を取得した場合は、前記情報表示器への当該音声情報の表示は行わずに、取得した当該音声情報と予めビルの構造より登録されている階床データとを比較し、一致した場合に、一致した階床への呼びを登録し、前記モード切り替え手段により前記情報表示モードに設定されている場合で、かつ、前記音声認識手段による音声認識により音声情報を取得した場合は、当該音声情報に基づく行先階登録は行わずに、取得した当該音声情報に基づいて、予め登録されている情報の中から表示すべき情報を検索し、前記情報表示器に当該情報の表示を行う音声登録装置であって、前記エレベータかご内の乗客数を判定するエレベータ負荷判別手段をさらに備え、前記エレベータ負荷判別手段が求めた前記エレベータかご内の乗客数が、予め設定された一定数以上の場合に、前記モード切り替え手段は、前記情報表示モードに設定し、前記音声認識手段は、前記音声入力装置に１以上の乗客からの音声が入力された場合に、当該音声の中に、予め登録されているキーワードと一致する音声があるか否かを判定し、当該キーワードのいずれかと一致する音声が検出された場合に、当該音声情報に基づいて、予め登録されている情報の中から表示すべき情報を検索し、前記情報表示器に当該情報の表示を行うことを特徴とする音声登録装置であるので、音声情報を、行先階の登録だけでなく、エレベータ利用者に最適な情報を表示するためにも使用し、音声情報のさらなる有効活用を可能にすることができる。
【図面の簡単な説明】
【００１０】
【図１】この発明の実施の形態１における音声登録装置の全体構成を示すブロック図である。
【図２】この発明の実施の形態１〜３における音声登録装置の使用状況を示すイメージ図である。
【図３】この発明の実施の形態１における音声登録装置の動作概要を示すフローチャートである。
【図４】この発明の実施の形態２における音声登録装置の内部構成を示すブロック図である。
【図５】この発明の実施の形態２における音声登録装置の動作概要を示すフローチャートである。
【図６】この発明の実施の形態３における音声登録装置の内部構成を示すブロック図である。
【図７】この発明の実施の形態３における音声登録装置の動作概要を示すフローチャートである。
【発明を実施するための形態】
【００１１】
実施の形態１．
上述のように、従来技術においては音声登録装置が設置されたエレベータにおいて、音声登録装置の役割は行先階を登録するのみであったが、この発明に係る音声登録装置は、音声認識による行先階の登録のみでなく、音声認識による情報表示機能が追加されている。この発明においては、音声認識により行先階を登録するモードと、音声認識により情報を選択して表示するモードとの二つのモードを併せ持ち、行先階登録終了後に、情報を表示するモードに切り替えることで、エレベータ利用者（以下、乗客とする。）の雑談などから情報を取得し、乗客が必要としている情報を表示することで、乗客に対するエレベータサービスを向上させることができる。
【００１２】
以下、図面を参照しながら、この発明の実施の形態１に係る音声登録装置について詳細に説明する。
【００１３】
図１は、この発明の実施の形態１に係る音声登録装置７を含む、エレベータ設備の全体構成を示すブロック図であり、図２は、この発明の実施の形態１における音声登録装置７の使用状況を示すイメージ図である。
【００１４】
これらの図において、１はエレベータかご、２は、機械室などに設けられ、エレベータかご１の速度制御や運行管理制御などを行うエレベータ制御盤、３はエレベータの乗客の有無を判断するためにエレベータかご１内に設置された人感装置などの人検出装置である。人検出装置３は、図２に示すように、例えば、エレベータかご１の入口付近の縦枠内などに設けられ、光センサや赤外線センサなどを用いて、エレベータかご１に対して乗り降りする乗客を検知するものである。人検出装置３は、光や赤外線を出射する発光素子と、それを受信する受信素子とから構成され、図２に示すように、エレベータかごのドア付近の縦枠の一方に発光素子が設けられ、対向する縦枠の他方に受光素子が設けられていて、発光素子から出力された光や赤外線を受光素子で受光する構成となっている。このとき、ドアを通過してエレベータかごに乗り込む乗客がいると、当該乗客の身体により、発光素子から出射された光や赤外線が妨げられ、受光素子に到達しない。従って、受光素子による受光がない場合に、「乗客あり」として検知する。また、乗客が乗ったか、降りたかを検出するためには、水平方向に、発光素子および受光素子を複数個並べておき、それらの素子による検出順で、乗客の移動方向を見分けるようにすればよい。また、人検出装置３は、１つの高さだけに設置してもよいが、図２に示すように、高さの異なる複数の位置に設置するようにしてもよい。これは、例えば、大人と子供では身長差があるので、そのいずれをも精度高く検出するためである。また、人検出装置３としては、上記の場合に限らず、エレベータかごの床内に、エレベータの負荷を検出する重さ検出装置を設けておいて、重さが増加したときに、新たに乗り込んだ乗客ありと検出するようにしてもよい。
【００１５】
また、４は、音声登録装置７のモードを切り替えるとともに、各モードごとにエレベータ制御盤２への行先階登録と情報表示器５への情報選択および表示指示との両方が行える音声認識装置、５は、エレベータかご１内に設けられ、乗客に対して音声認識装置４が動作中であること（すなわち、音声認識による行先階登録や、情報表示が可能であること）を表示したり、あるいは、エレベータかご１の現在位置を表示したり、あるいは、天気予報やニュースなどを表示する情報表示器である。情報表示器５は、メッセージなどの文字の表示だけでなく、画像の表示も行える構成としてもよい。情報表示器５は、図２に示すように、エレベータかご１内の、例えば、操作盤付近の操作盤の上方などに設けられる。なるべく高い位置に設置した方が、多くの乗客が見やすくなるため、望ましい。情報表示器５は、例えば、音声認識による行先階登録を行う行先階登録モードの場合には、乗客に対して、音声認識でも操作盤からでも行先階の登録が行えることを伝えるために、人検出装置３により乗客が検知されたときに、「このエレベータは、音声によっても、行先階の登録を行うことができます。」等の文字メッセージを画面表示する。また、音声認識による情報表示を行う情報表示モードに場合には、乗客に対して、音声認識により必要な情報の表示が行えることを伝えるために、「このエレベータは、音声により必要な情報の表示を行うことができますので、検索キーワードとなる言葉を言って下さい。」等の文字メッセージを画面表示する。
【００１６】
６は、行先階の指定などの乗客の音声による音声情報を入力するために設置されたマイクロホンなどの音声入力装置である。音声入力装置６は、図２に示すように、エレベータかご１内の、例えば、操作盤内に設けられる。なお、この発明の実施の形態１に係る音声登録装置７は、図１に示すように、音声認識装置４と情報表示器５と音声入力装置６とから構成されている。また、図１において、８は、アラーム音などの警報を発するとともに、情報表示器５と共に音声認識装置４が動作中であることを音声にて報知するために設置されたスピーカなどの報知器８である。報知器８は、図２に示すように、エレベータかご１内の、例えば、操作盤内に設けられる。報知器８は、例えば、音声認識による行先階登録を行う行先階登録モードの場合には、乗客に対して、音声認識でも操作盤からでも行先階の登録が行えることを伝えるために、人検出装置３により乗客が検知されたときに、報知器８により、「このエレベータは、音声によっても、行先階の登録を行うことができます。」等の音声メッセージを発する。また、音声認識による情報表示を行う情報表示モードに場合には、乗客に対して、音声認識により必要な情報の表示が行えることを伝えるために、報知器８により、「このエレベータは、音声により必要な情報の表示を行うことができますので、検索キーワードとなる言葉を言って下さい。」等の音声メッセージを発する。
【００１７】
音声認識装置４には、図１に示すように、人検出手段４ａ、呼び登録可能判定手段４ｂ、音声認識手段４ｃ、呼び登録手段４ｄ、モード切り替え手段４ｅ、及び、情報表示判定手段４ｆとが設けられている。以下に、各手段４ａ〜４ｆについて説明する。
人検出手段４ａは、人検出装置３からの検出信号が入力され、当該検出信号に基づいて、音声登録装置７の使用者となる乗客を人検出装置３が検出したことを検知する。
呼び登録可能判定手段４ｂは、モード切り替え手段４ｅを介してエレベータ制御盤２から入力される情報や、人検出手段３の判定結果から、音声登録装置７の音声認識機能が使用可能であるかを判定するとともに、モード切り替え手段４ｅによって設定された音声登録装置７の現在のモードを判別する。
音声認識手段４ｃは、音声入力装置６より音声データが入力され、音声登録装置７が行先階登録モードに設定されている場合には、入力された音声データの内容を、各モードごとに、行先階へのかご呼び登録として認識し、音声登録装置７が情報表示モードに設定されている場合には、入力された音声データの内容を、情報表示器５への情報表示のための情報入力として認識する。
呼び登録手段４ｄは、音声認識手段４ｃの音声認識結果により、入力された音声データが行先階へのかご呼び登録として認識された場合に、要求された行先階への呼びを、エレベータ制御装置２へ登録する。
モード切り替え手段４ｅは、エレベータ制御装置２から入力される情報及び／またはエレベータの運行状態に基づいて、音声登録装置７のモードを、行先階を登録する行先階登録モードか、情報表示を表示する情報表示モードかの、いずれか一方に切り替える。
情報表示判定手段４ｆは、情報表示モードの際に、音声認識手段４ｃからの情報に基づいて、情報表示器５に表示すべき情報を、予め登録された情報の中から判定する。
なお、これらの各手段４ａ〜４ｆは、マイクロコンピュータ等のハードウェア上のソフトウェアによって構成されている。
【００１８】
次に、この発明の実施の形態１における音声登録装置７の動作を、図３のフローチャートを用いて説明する。
【００１９】
図３に示すように、まず、ステップＳ−１０２にて、モード切り替え手段４ｅが、エレベータ制御盤２から、エレベータかご１の戸開閉状況、呼び登録状況、エレベータかご１への乗車負荷などのエレベータ運行状況に関するデータを入力し、ステップＳ−１０３に進む。なお、ステップＳ−１０２においては、音声登録装置７のモードは、音声認識による呼び登録を行う行先階登録モードに設定されている。
【００２０】
ステップＳ−１０３では、音声認識装置４の人検出手段４ａが、人検出装置３より、音声登録装置７の使用者となるエレベータかご１内の乗客の有無（現在の使用者状況）に関するデータを入力し、ステップＳ−１０４へ進む。
【００２１】
ステップＳ−１０４では、音声登録装置７の使用時間が終了したか否かを判定し、終了していなければ、人検出手段４ａにより、図２に示すようにエレベータかご１のドア付近に取り付けられた人検出装置３によりエレベータかご１への新たな乗客を検出したか否かを判定し、検出したと判定した場合には、ステップＳ−１０５へ進む。検出したと判定しなかった場合は、ステップＳ−１１４に進む。
【００２２】
ステップＳ−１０５では、図２に示すようにエレベータかご１の操作盤に設けられたマイクロホンなどの音声入力装置６のスイッチを、乗客の音声データを入力するためにＯＮにして、ステップＳ−１０６に進む。
【００２３】
ステップＳ−１０６では、音声認識手段４ｃにより、音声入力装置６より入力された音声データを解析する。具体的には、入力された音声データと予め登録されている音声データパターンと比較し、音声データパターンの中に、入力された音声データに一致する階床名があるか否かを判定し、ステップＳ−１０７に進む。なお、当該音声データパターンは、エレベータが設置されたビルの構造より予め登録される、エレベータかご１の行先階となり得る各階床名の音声データパターンである。
【００２４】
ステップＳ−１０７では、音声認識手段４ｃにより、ステップＳ−１０６の音声認識処理の結果に基づいて、音声データパターンの中に入力された音声データに一致する階床名があったか否かを判定し、行先階として認識された階床があれば、ステップＳ−１０８へ進み、認識された階床がなければステップＳ−１０６へ進み、行先階が認識されるまでステップＳ−１０６とステップＳ−１０７を繰り返す。なお、このとき、割り込み処理として、操作盤による呼び登録がなされた場合には、ステップＳ−１０９に進む。
【００２５】
ステップＳ−１０８では、呼び登録手段４ｄにより、ステップＳ−１０７で認識された階床への呼びをエレベータ制御盤２へ出力して行先階登録を行い、ステップＳ−１０９に進む。
【００２６】
ステップＳ−１０９では、モード切り替え手段４ｅが、エレベータ制御盤２からの信号を受けて、行先階登録が完了したことを検知したら、音声登録装置７のモードを、行先階を登録する行先階登録モードから情報表示をする情報表示モードに切り替え、ステップＳ−１１０に進む。
【００２７】
ステップＳ−１１０では、音声認識手段４ｃが、音声入力装置６を介して入力される、乗客の雑談等の音声データから、情報収集を行う。例えば「５階に○○のお店があった」という乗客の会話から、「５階」という情報の収集に成功したならば、ステップＳ−１１１に進み、収集に失敗した、または、何も収集する情報がなかったならば、ステップＳ−１１２に進む。なお、情報収集は、予め、キーワードとなる単語を音声認識手段４ｃに登録しておき、乗客の会話の音声データの中から、当該キーワードと一致する音声データが含まれているか否かを比較判定して行う。
【００２８】
ステップＳ−１１１では、情報表示判定手段４ｆが、ステップＳ−１１０で収集した情報を元に、予め登録されている情報の中から最適な情報を検索し、情報表示器５に当該情報の表示をする。例えば、ステップＳ−１１０で収集した情報が「５階」であったならば、「５階」をキーワードとして、それに関する情報を選択し、情報表示器５に表示を行い、ステップＳ−１１３に進む。なお、表示を行う情報は、キーワードごとに、予め、情報表示判定手段４ｆに登録されており、ビル内のイベント開催や季節などによってエレベータ管理者またはビル管理者等により適宜更新されるものとする。
【００２９】
ステップＳ−１１２では、情報表示判定手段４ｆが、通常の情報、例えば天気予報の情報やエレベータかご１の現在位置の情報等の情報を情報表示器５に表示し、ステップＳ−１１３に進む。なお、通常の情報として、エレベータの現在の階床位置に応じた案内を表示してもよく、あるいは、呼び登録された階床に応じた案内にしてもよい。
【００３０】
ステップＳ−１１３では、モード切り替え手段４ｅが、音声登録装置７のモードを、情報表示を行う情報表示モードから行先階を登録する行先階登録モードに切り替え、ステップＳ−１０２に戻り、再び、ステップＳ−１０２からステップＳ−１１３までの処理を繰り返す。但し、ステップＳ１０４の処理で、音声登録装置７の使用時間が終了していると判定された場合には、ステップＳ−１１４に進む。音声登録装置７の使用時間は２４時間としてもよいが、省電力のために、所定の時間帯のみ行うことが望ましいので、使用時間を予め設定しておくことが望ましい。
【００３１】
ステップＳ−１１４では、音声認識手段４ｃが、乗客の音声データ入力を中止して、誤認識による無駄なかご呼び登録を防止するために、音声入力装置６のスイッチをＯＦＦにして、ステップＳ−１１５に進む。
【００３２】
ステップＳ−１１５では、音声登録装置７が音声認識処理を終了して、音声入力装置６での呼び登録処理を終了する。
【００３３】
以上のように、本実施の形態１に係る音声登録装置７においては、人検出装置３が新たにエレベータかご１内に乗客が乗り込んだことを検知したときに、まず、行先階登録モードで、音声認識による行先階への呼び登録を行い、それが完了したら、情報表示モードに切り替えて、乗客の会話からの音声データに基づいて音声認識を行い、音声認識により収集できた情報に基づいて、情報表示器５に表示すべき情報を検索して表示を行うようにしたので、音声情報を、行先階の登録だけでなく、エレベータ利用者に最適な情報を表示するためにも使用でき、音声情報のさらなる有効活用を可能にすることができる。
【００３４】
実施の形態２．
上記実施の形態１では、音声登録装置７のモードを切り替えるタイミングが、音声認識により行先階を登録完了した後に切り替わるようになっていたが、本実施の形態においては、これを、行先階の登録が完了し、かつ、戸閉よりエレベータ走行開始後に切り替えるようにすることで、行先階登録と情報表示の切り替えをよりスムーズにした実施形態について説明する。図４に、本実施の形態に係る音声登録装置７の音声認識装置４部分の構成を示す。なお、音声認識装置４以外の構成については、図１および図２に示した実施の形態１の構成と同じであるため、それらの図を参照することとし、その説明は省略し、図４では、音声認識装置の構成について説明する。
【００３５】
図４に示すように、本実施の形態においては、図１の音声認識装置４の構成に、さらに、戸状態判別手段４ｇが追加されている。他の構成は図１と同じである。戸状態判別手段４ｇは、エレベータ制御盤２から、エレベータかご１の戸開閉状況とエレベータかご１の運行状態の情報を取得し、エレベータかご１が現在走行状態であるか否かを判別するものである。戸状態判別手段４ｇを、図４のように追加することで、行先階登録モードと情報表示モードの切り替えがスムーズになることを以下に説明する。
【００３６】
なお、図４における各手段４ａ〜４ｆは、図１と同様に、マイクロコンピュータ等のハードウェア上のソフトウェアによって構成されている。
【００３７】
次に、この発明の実施の形態２における音声登録装置の動作を、図５のフローチャートを用いて説明する。図５のフローチャートにおけるステップＳ−２０１〜Ｓ−２０５までの処理は、図３のステップＳ−１０９の代わりに行われる処理である。本実施の形態おいては、図３におけるＳ−１０９の処理以外の動作は、実施の形態１とすべて同じであるので詳述を省略し、図５では、ステップＳ−１０９の代わりに行われる、戸の状態によりモードを切り替える機能処理についてのみ説明する。
【００３８】
まず、実施の形態１と同様に、図３に示すステップＳ−１０１からステップ１０８までの処理を行う。次に、図５に示すように、まず、ステップＳ−２０２にて、戸状態判別手段４ｇにより、エレベータ制御盤２から現在のエレベータかご１の戸開閉状況と運行状態の情報（エレベータかご１が現在走行中であるか否かの情報）を取得し、ステップＳ−２０３に進む。
【００３９】
ステップＳ−２０３では、戸状態判別手段４ｇが、エレベータ制御盤２からの当該情報に基づいて、エレベータかご１の現在の状態が走行中であるか否かを判定し、走行状態であると判定した場合には、ステップＳ−２０４へ進み、一方、エレベータかご１が停止中であればステップＳ−２０２へ進む。
【００４０】
ステップＳ−２０４では、モード切り替え手段４ｅが、音声登録装置７のモードを、行先階を登録する行先階登録モードから、情報表示をする情報表示モードに切り替え、ステップＳ−２０５へ進む。以降は、実施の形態１と同様に、図３のステップＳ−１１０からステップＳ−１１５までの処理を行う。
【００４１】
以上のように、本実施の形態においては、上記の実施の形態１と同様の効果が得られるとともに、さらに、戸状態判別手段４ｇを設けて、音声登録装置７のモードを情報表示モードに切り替えるタイミングを、行先階の登録が完了し、かつ、戸閉よりエレベータ走行開始後にすることで、行先階登録と情報表示の切り替えをよりスムーズに行うことができる。すなわち、本実施の形態においては、エレベータかご１が戸開状態である場合は、複数の乗客からの呼び登録が次々とあるかもしれないので、それに対応するべく、情報表示モードに切り替えずに、行先階登録モードのままの状態を保持する。
【００４２】
実施の形態３．
図６に、本実施の形態に係る音声登録装置７の音声認識装置４部分の構成を示す。なお、音声認識装置４以外の構成については、図１および図２に示した実施の形態１の構成と同じであるため、それらの図を参照することとし、その説明は省略し、図６では、音声認識装置４の構成について説明する。
【００４３】
図６の構成においては、上記実施の形態２で示した図４の音声認識装置４の構成に設けられた戸状態判別手段４Ｇの代わりに、動体センサや負荷検出装置などの検出結果に基づいてエレベータかご１内の乗客数を判定するためのエレベータ負荷判別手段４ｈを設けている。他の構成については、実施の形態１（図１）および実施の形態２（図４）と同じである。本実施の形態においては、図６のようにエレベータ負荷判別手段４ｈを音声認識装置４に設けることで、多人数がエレベータを利用した際に音声認識率が下がると予想される状態で、音声認識装置を有効に活用することができる。
【００４４】
エレベータ負荷判別手段４ｈは、動体センサや負荷検出装置などの機器により検出された結果を、エレベータ制御盤２を介して取得し、エレベータかご１内のおおよその乗客数を判定する。動体センサを用いる場合は、エレベータかご１内の天井などに動体センサを設けておき、動体センサにより取得する動体検出結果あるいは画像解析結果などにより、エレベータかご１内の乗客のおおよその数を判定する。また、負荷検出装置を用いる場合は、エレベータかご１の床内に負荷検出装置を設けておき、当該負荷検出装置により検出されたエレベータかご１内の全体の重量を、予め設定した一般的な乗客の平均体重（例えば６０ｋｇ）で除算して、エレベータかご１内の乗客のおおよその数を算出する。なお、ここでは、おおよその乗客数を求める例について説明しているが、その場合に限らず、例えば、動体センサの精度を高くする、あるいは、負荷検出装置の検出結果と人検出手段４ａの検出結果を組み合わせる等して、正確な乗客数が求められる構成としてもよいことは言うまでもない。
【００４５】
なお、図６における各手段４ａ〜４ｆ，４ｈは、図１および図４と同様に、マイクロコンピュータ等のハードウェア上のソフトウェアによって構成されている。
【００４６】
次に、この発明の実施の形態３における音声登録装置の動作を、図７のフローチャートを用いて説明する。図７のフローチャートにおけるステップＳ−３０１〜Ｓ−３１０までの処理は、図３のステップＳ−１０２の代わりに行われる処理である。本実施の形態おいては、図３におけるＳ−１０２の処理以外の動作は、実施の形態１とすべて同じであるので詳述を省略し、図７では、ステップＳ−１０２の代わりに行われる、エレベータ負荷判別手段４ｈによるエレベータ負荷の判別に基づくモード切り替え処理についてのみ説明する。
【００４７】
まず、図７に示すように、エレベータ負荷判別手段４ｈが、ステップＳ−３０２にて、エレベータ制御盤２から利用負荷を含めた運行状況の情報を取得し、ステップＳ−３０３に進む。
【００４８】
ステップＳ−３０３では、エレベータ負荷判別手段４ｈが、ステップＳ−３０２で取得したエレベータ利用負荷を含めた運行状況の情報に基づいて、エレベータかご１内のおおよその乗客数を判定し、混雑状況を確認し、ステップＳ−３０４に進む。なお、推定したエレベータかご１内のおおよその乗客数が予め設定された所定の閾値（予め設定した一定数）を超えていた場合に、「混雑している」と判定し、一方、当該所定の閾値未満（一定数未満）の場合には、「混雑していない」と判定する。
【００４９】
ステップＳ−３０４では、ステップＳ−３０３の判定結果を確認し、当該判定結果が、エレベータ負荷判別手段４ｈにより、エレベータかご１内が「混雑している」と判定されていた場合には、ステップＳ−３０５に進み、「混雑していない」と判別されていた場合には、ステップＳ−３０９に進む。
【００５０】
ステップＳ−３０５では、ステップＳ−３０３，Ｓ−３０４で「混雑している」と判定された場合であるため、音声認識装置４の音声認識機能を情報表示にのみ使用することとし、モード切り替え手段４ｅにより、行先階登録モードから情報表示モードに変更し、ステップＳ−３０６へ進む。
【００５１】
ステップＳ−３０６では、音声認識手段４ｃにより、乗客の雑談等の、例えば「「５階」に○○のお店があった」という会話の音声データから、「５階」という情報の収集に成功したならば、ステップＳ−３０７に進み、収集に失敗した、または、何も収集する情報がなかったならばＳ−３０８に進む。
【００５２】
ステップＳ−３０７では、情報表示判定手段４ｆが、ステップＳ−３０６で収集した情報を元に最適な情報を検索し、表示をする。例えば、ステップＳ−３０６で収集した情報が「５階」であったならば、「５階」に関する情報を検索し、情報表示器５に当該情報の表示を行い、ステップＳ−３０２に進む。
【００５３】
ステップＳ−３０８では、ステップＳ−３０６で情報の収集に失敗した、あるいは、情報収集できなかった場合であるので、通常の情報である、たとえば天気予報等を情報表示器５に表示を行い、ステップＳ−３０２に進む。
【００５４】
ステップＳ−３０７かステップＳ−３０８の動作終了後にステップＳ−３０２に進み、ステップＳ−３０２からステップＳ−３０８までの処理を繰り返し、混雑状況が終了したら、ステップＳ−３０４からステップＳ−３０９に進むまでの処理を繰り返す。
【００５５】
ステップＳ−３０９では、音声登録装置７のモードを、行先階登録モードに変更し、ステップＳ−３１０に進む。以降は、実施の形態１と同様に、図３のステップＳ−１０３からステップＳ１１５までの処理を行う。あるいは、実施の形態２と同様の処理としてもよい。
【００５６】
なお、図７のステップＳ−３０６からＳ−３０８までの処理は、実施の形態１で説明した図１のステップＳ−１１０からＳ−１１２の処理と同じであるため、本実施の形態においては簡単に説明した。詳細については、実施の形態１の説明を参照されたい。
【００５７】
以上のように、本実施の形態においては、上記の実施の形態１，２と同様の効果が得られるとともに、さらに、エレベータ負荷判別手段４ｈを設けて、上記のとおり混雑状況に応じてモードを切り替えるようにして、多人数がエレベータを利用した際の混雑時には音声認識率が下がると予想されるため、音声認識による呼び登録を中止し、誤認識を未然に防ぐことで、無駄な階に停止することなく、かつ、必要な情報を情報表示器５に表示できる回数が増えるので、音声認識装置４をさらに有効活用することができる。
【００５８】
なお、上記の実施の形態１〜３において、音声登録装置７が情報表示モードである場合には、音声認識による行先階登録は行わないため、その場合には、エレベータかご１の操作盤の行先階登録釦を乗客が押下する操作を行うことにより、行先階登録が行われることは言うまでもない。
【符号の説明】
【００５９】
１  エレベータかご、２  エレベータ制御盤、３  人検出装置、４  音声認識装置、４ａ  人検出手段、４ｂ  呼び登録可能判定手段、４ｃ  音声認識手段、４ｄ  呼び登録手段、４ｅ  モード切り替え手段、４ｆ  情報表示判定手段、４ｇ  戸状態判別手段、４ｈ  エレベータ負荷判別手段、５  情報表示器、６  音声入力装置、７  音声登録装置、８  報知器。
【図１】
0005794896.tif 000002
【図２】
0005794896.tif 000003
【図３】
0005794896.tif 000004
【図４】
0005794896.tif 000005
【図５】
0005794896.tif 000006
【図６】
0005794896.tif 000007
【図７】
0005794896.tif 000008